(57)【特許請求の範囲】
【請求項１】
電話機であって、保持部（１９；２６；４１；５５）と、マイクロフォン（１３；３５；４４；７４；２２９）及び受話カプセルを持つ手持ち無線電話（１；２４；３９；１０１；２０５；３０２）とを有するものにおいて、手で自由に動かすことができかつ保持部（１９；２６；４１；５５）に取出し可能に保持可能な送受器（８；２５；４０；５３；１０５；２０３；３０３）が設けられて、手持ち無線電話（１；２４；３９；１０１；２０５；３０２）と同様に、マイクロフォン（１３；３５；４４；７４；１０３ａ；２２９）及び受話カプセル（１２；３６；５９；１０３ｂ；２１３）を持ち、送受器（８；２５；４０；５３；１０５；２０３；３０３）が手持ち無線電話（１；２４；３９，１０１；２０５，３０２）を収容するための収容空間（９；２９；６４）を持ち、手持ち無線電話（１；２４；３９；１０１；２０５；３０２）がこの収容空間（９，２９，６４）から手で取出し可能であり、収容空間（９，２９，６４）が、この収容空間を区画する空間壁を持ち、この空間壁に、送受器（８；２５；４０；５３；１０５；２０３；３０３）と手持ち無線電話（１；２４；３９；１０１；２０５；３０２）とを電気接続するための接続手段（１５；７７；１３９；２２６）が設けられていることを特徴とする、電話機。
【請求項２】
送受器（８；２５；４０；５３，１０５；２０３；３０３）が、手持ち無線電話（１；２４；３９；５１；１０１；２０５；３０２）のために、手持ちシェルとして構成されたアダプタを持っていることを特徴とする、請求項１記載の電話機。
【請求項３】
アダプタが、手持ち無線電話（１）の音響的な機能を引受けることができるようにするために、手持ち無線電話（１）に統合された電話回路に電気接続可能であり、手持ちシェルのマイクロフォンが、自由通話マイクロフォン（１６）として用いられることを特徴とする、請求項２記載の電話機。
【請求項４】
保持部が、ブラケット（１９；２６；４１；５５）として構成されており、ブラケット（１９；２６；４１；５５）を車両内に取付けた際にも、車両の振動によって送受器（８；２５；４０；５３）が、外れることがないようにするために、ブラケットが、手でロック解除可能なロックユニット（８３）を有することを特徴とする、請求項１記載の電話機。
【請求項５】
送受器（５３；１０５；３０３）が、手持ち無線電話（５１；１０１；３０２）が送受器（５３；１０５；３０３）の空間に収容されている挿入位置から持ち上げ揺動される際手持ち無線電話と共に持ち上げ揺動される差込み部分（６９；１２６；３０４）を有し、手持ち無線電話の操作要素が操作可能なままであるように、手持ち無線電話が差込み部分へ一部差込み可能であることを特徴とする、請求項１記載の電話機。
【請求項６】
差込み部分が矢筒状に構成され、１０°ないし２０°だけ持ち上げ揺動可能であることを特徴とする、請求項５に記載の電話機。
【請求項７】
車両に取付けて使用する際に揺動振動を避けるために、差込み部分（６９）が、持ち上げ揺動位置においても挿入位置においても、安定して保持されていることを特徴とする、請求項５記載の電話機。
【請求項８】
矢筒状の差込み部分（６９）の揺動軸（６７）が、矢筒中空空間（７１）の外側に配置されており、矢筒後壁（７３）が、押込むべき手持ち無線電話（５１）のための案内板（７２）として使うために、矢筒縁（７５）を越えて延長されていることを特徴とする、請求項６記載の電話機。
【請求項９】
差込み部分（３０４）が、手持ちシェル（３０３）の基部に支持された弾性的な揺動手段（３１９）によって、挿入位置としての不動作位置から持ち上げ揺動位置へ揺動可能であり、かつ揺動手段（３１９）のばね力に抗してこれにより収容される手持ち無線電話（３０２）を押すことによって、不動作位置に動かすことができ、かつこれに又は手持ち無線電話（３０２）に作用する保持安全装置（３２２）によってこの不動作位置に確保可能であり、差込み部分（３０４）又は手持ちシェル（３０３）に、枠（３２３）が形成されており、この枠が、遊びを持って手持ち無線電話（３０２）の裏側又は表側に係合し、弾性的な押付け手段（３３７）が、差込み部分（３０４）の切り欠き（３３２）を通して直接に、又は圧力伝達部材（３３６）を介して間接的に、手持ち無線電話（３０２）の下部に作用し、かつ差込み部分（３０４）を不動作位置に戻したときに、手持ち無線電話の下部を、手持ち無線電話の表側に係合する枠（３２３）の部分（３３８）に押付け、弾性的な押付け手段（３３７）が、差込み部分（３０４）の持ち上げ揺動位置において、手持ち無線電話（３０２）を全く押さないか又はわずかな圧力でのみ押し、それによりこの手持ち無線電話（３０２）が、圧力をかけずに枠（３２３）内に挿入でき、かつ取出すことができるようにすることを特徴とする、請求項５記載の電話機。
【請求項１０】
弾性的な押付け手段が、少なくとも１つの圧縮ばね（３３７）によって形成されており、この圧縮ばねが、保持安全装置（３２２）から遠い方にある手持ち無線電話（３０２）の端部に、直接又は間接的に作用し、弾性的な押付け手段（３３７）が、差込み部分（３０４）に形成されるか又は関節結合された可動の圧力伝達部材に作用し、この圧力伝達部材が、差込み部分（３０４）に一体に射出成形された薄い押付け片又はフラップ（３３６）によって形成されていることを特徴とする、請求項９記載の電話機。
【請求項１１】
差込み部分（１２６）が、手持ち無線電話（１０１）の下部範囲を載せるためにこの中に配置された少なくとも１つのカラーユニット（１２９ａ，１２９ｂ）、及びカラーユニットの収容部を有し、差込み部分（１２６）を揺動した際に、カラーユニット（１２９ｂ）の手持ち無線電話載せ面（１３２ｂ）と差込み部分（１２６）の上縁（１３７）との間の相対運動が生じ、それにより手持ち無線電話（１０１）が、持ち上げ揺動位置において容易に取出し可能であり、かつ挿入位置において確実に保持されていることを特徴とする、請求項５記載の電話機。
【請求項１２】
収容部が、差込み部分（１２６）の揺動軸（１２５）の位置に関して固定的に配置されており、カラーユニット（１２９ｂ）の手持ち無線電話載せ面（１３２ｂ）が、挿入された状態において、揺動軸（１２５）に対して平行にかつ手持ち無線電話（１０１）の挿入平面に対して垂直に延びており、かつ持ち上げ揺動のために必要な間隔公差を除いて、ほぼ差込み部分（１２６）の横断面全体を満たしており、差込み部分（１２６）の揺動軸（１２５）が、手持ち無線電話（１０１）の下部のための載せ面（１３２ｂ）に対して、カラーユニット（１２９ｂ）の自由端から遠い方の範囲において、差込み部分（１２６）の奥へずらして配置されていることを特徴とする、請求項１１記載の電話機。
【請求項１３】
手持ちシェル（１０５）が、手持ち無線電話のアンテナ脚のため又は手持ち無線電話のアンテナ脚を支持するハウジング部分のための収容ユニットを有し、手持ち無線電話（１０１）が、手持ちシェル（１０５）内において、挿入した際手持ち無線電話（１０１）の表側に自動的に係合する保持安全装置（１１９）によって、抜け落ちを防止するように保持されており、保持安全装置（１１９）が、ばね負荷を受けた摺動安全装置として構成されており、この摺動安全装置が、手持ち無線電話（１０１）のアンテナ脚又はアンテナ脚を支持するハウジング部分を確保して覆っており、保持安全装置（１１９）が、手で開き位置に移動可能であり、かつこの位置に、ばね負荷を受けて保持安全装置（１１９）内に係止する押し棒（１５６）によって保持されており、手持ち無線電話（１０１）の表面範囲（１２１）のために、押し棒（１５６）のための作用場所（１２０，１２１）が存在し、手持ち無線電話（１０１）の作用場所が、押し棒（１５６）をその不動作位置から動かし、それにより手持ち無線電話（１０１）を手持ちシェルへ挿入した際に、保持安全装置（１１９）が釈放されることを特徴とする、請求項２記載の電話機。
【請求項１４】
手持ちシェル（２０３）が、手持ち無線電話下縁（２２１）をはまり合いで保持する差込み凹所（２２０）、及び上部範囲（２１１）において裏側の手持ち無線電話上部のために保持ユニット（２３０）を有し、この保持ユニットへ、手持ち無線電話（２０５）が自動的にロックするように押込み可能であり、かつ取出すためにロック解除装置（２３１）を介してのみロック解除可能であることを特徴とする、請求項２に記載の電話機。
【請求項１５】
保持ユニット（２３０）と共同動作する押出しユニット（２３９）が存在し、この押出しユニットが、ロック解除する際に、差込み凹所（２２０）内に無線電話下縁（２２１）を残したまま、手持ち無線電話上部（２１１）を手で良好に取出すために５°と１０°の間の角度にして押出すことを特徴とする、請求項１４記載の電話機。
【請求項１６】
手持ちシェル（２０３）から手持ち無線電話（２０５）への信号及びエネルギーの伝送を行うため２つのインターフェース部分を持つインターフェース（２２６）が設けられており、１つのインターフェース部分（２２６）が、差込み凹所（２２０）内において、シェル底部（２２３）に対して平行にかつその長手方向の延びに対して垂直に延びた揺動軸（２２７）の回りに揺動して弾性的に保持されるように配置されていることを特徴とする、請求項２に記載の電話機。
【請求項１７】
手持ちシェル（８；２５；５３）が、挿入された手持ち無線電話（３９；５１）とともに、通常の電話受話器のように構成されるか、又は弧状に湾曲されており、手持ちシェルの受話口及び送話口（８．２又は８．１；３５）が、手持ち無線電話を収容するための収容空間を有する側に対向する側に配置されており、手持ち無線電話（１；８）のための収容空間（９；２９）が、これを挿入した後に、手持ち無線電話のキーボード（３；７０）がアクセスできるままであるように構成されていることを特徴とする、請求項２記載の電話機。
【発明の詳細な説明】
自動車内における電話機は、種々の変形において存在する。
ドイツ連邦共和国実用新案登録第Ｇ９３１１２９４．７号明細書によれば、持運び可能な移動電話のための保持装置が公知であり、この保持装置は、大体において対向する２つの側壁、及びこれらを結合する１つの底板から構成されている。移動電話は、側壁の間に挿入され、かつ底板の上に載っている。この移動電話は、形状又は力結合された結合に基づいて固定保持される。保持部は、例えば自動車内における運転者と助手の場所の間の中央コンソールの側壁にねじ固定される。
ヨーロッパ特許出願公開第０５４５６７０号明細書によれば、移動無線電話のための保持部が公知であり、この保持部は、互いに入れこ式になった２つの部分からなる。外側部分は、基礎に固定的にねじ止めされる。内側部分は、一種のシーソーをなしており、このシーソー内に前方から手持ち無線電話が挿入可能である。シーソーは、水平の軸線の回りで揺動することができる。前側位置においてシーソーは、装置を収容するために準備されている。後方へ揺動した際に、このシーソーは、係止する機構によって固定保持される。機構は、シーソーの下側に配置されかつ保持部内における手持ち無線電話を押し下げることによって操作可能なレバーによって解除される。
ドイツ連邦共和国実用新案登録第Ｇ９３１１２４２．４号明細書に、手持ち無線電話のための２分割された保持部が記載されている。ここでは手持ち無線電話に自立するクリップ部分が取付けられており、このクリップ部分は、保持部の相応するスリット内に押込むことができる片を有する。さらにＨＦ−シールド及びアンテナ部分が開示されており、このＨＦ−シールド及びアンテナ部分は、同軸ケーブルによって自動車の車載のアンテナシステムに結合されている。アンテナ部分は、手持ち無線電話のアンテナ部分と車両の車載アンテナとの間の電気的な結合のために、移動電話のアンテナ部分への連結部を利用することができる。手持ち無線電話は、自由通話能力を有する場合、通話のために保持部内に放置することができる。車両内における第三者による傍受が望まれない場合、無線電話は、保持部から取出すことができ、したがって利用者は、受話口を耳に当てて通話することができる。手持ち無線電話は、両方の場合に、それぞれアンテナ線を介して車両の車載アンテナに接続されている。車両の外で電話を使用しようとする場合、クリップ部分及びシールド又はアンテナ部分は取り除かれる。
手持ち無線電話によるフリーハンド通話のための可能性は、例えばヨーロッパ特許出願公開第０４６４０１１号明細書によって公知である。拡声器及びマイクロフォンに接続されたアダプタを手持ち無線電話の相応したプラグに接続することが提案される。その際、手持ち無線電話内に統合された外部マイクロフォン及び外部拡声器が、一時的に代理を行なう。
本発明の課題は、手持ち無線電話を収容する装置を有し、この装置が、きわめて広い意味で保持部として利用することができる、無線装置を提供することにある。装置は、とくに自動車の車室内における組込み及び使用に適するようにする。さらに装置は、取扱いにおいて簡単かつ快適であるようにする。
課題の本発明による解決策は、請求の範囲第１項の対象である。有利な構成は、従属請求の範囲に書き表わされている。
なるべく送受器は、ブラケット（以下コンソールと称する）に取付け可能でありかつこれに電気的に結合された手持ちシェルによって形成されており、この手持ちシェル内に手持ち無線電話（なるべくいわゆるハンディー）が、電気的に連結されて挿入可能である。
このような装置は、コンソールに取付け可能でありかつこれに電気的に結合された手持ちシェルの点で傑出しており、この手持ちシェル内に手持ち無線電話が、電気的に連結されて挿入可能である。
手持ちシェルは、中間部分であり、この中間部分は、ケーブルを介してコンソールに、かつその結果、車載のアンテナに接続されている。これは、擬似的に“電話ケース”をなしており、この電話ケース内に機能ユニットとして手持ち無線電話が挿入可能である。
なるべく手持ちシェルは、送話口及び／又は受話口を有し、これら送話口及び／又は受話口は、手持ち無線電話内に設けられた送話口及び受話口の代わりになるために、手持ち無線電話内に統合された通話回路に電気的に結合することができる。したがって手持ちシェルは、一種の電気受話器に構成されており、この電話受話器は、電話コードを介してコンソールに接続されている。通話回路（この通話回路は、局中央装置によって結合を引受けることができ、かつ加入者がその局番号を介して到達することができることに対して、責任を有する。）は、使用すべき手持ち無線電話によって利用することができる。すなわち手持ちシェル及びコンソールは、擬似的に“ケース”をなしており、このケースは、手持ち無線電話によって“満たされる”。
有利な構成様式において、手持ちシェルの矢筒状に構成された引出し揺動可能な差込み部分内に、少なくとも１つのカラーユニットがあり、このカラーユニット上に、内部揺動された状態において手持ち無線電話の下側部分が休止している。差込み部分を保持する揺動軸線の回りで持ち上げ揺動した際に、前側の（矢筒）縁範囲は、なるべく定置のカラーユニットに対して相対運動して、前方へかつ下方にも動かされる。それにより手持ち無線電話は、容易に取出すことができる。カラーユニットは、“投出し器”として作用する。手持ち無線電話の下側部分は、相対的に前方及び上方に動かされるが、側方にはなお保持されている。しかし取出しの際、もはや矢筒側壁によってクランプは行なわれない。したがって矢筒壁は、もはや損傷することはなく、とくにその上側縁が、割れることはない。
なるべく差込み部分の後壁は、矢筒上側縁を越えて引出され、すなわち上方へ延長される。この延長部は、挿入すべき手持ち無線電話のための案内板として使われる。
手持ちシェルは、手持ち無線電話のエネルギーの供給のため及びとくにアンテナ信号の信号伝送のためのインターフェースを有することができる。すなわち手持ち無線電話は、自身のものではなく、車両の車載アンテナによって、通信局の信号を送信し、かつ受信する。自身のアンテナは、車載自身の送信／受信ユニットまでの信号伝送のためだけに使われる。明らかにコンソールは、アンテナを利用する必要はない。手持ち無線電話は、いずれの場合にも、自身のアンテナを利用する。インターフェースは、なるべく切離し可能な電気的連結（伝送）のために構成されている。とくに通信信号の誘導、光学的、・・・伝送が利用できる。さらにコンソールが定置であり、かつ通常の又はデジタルの導線によって局中央装置に接続されていることも考えることができる。
手持ちシェルは、どうしてもケーブルを介してコンソールに接続しなければならないわけではない。手持ちシェルをコードレス電話の移動部分として構成することも考えられる。
なるべく手持ちシェルは、手持ち電話が手持ちシェルの統合された構成部分であり、又はこのようなものと考え、かつここから突出しないように構成された手持ち無線電話のための切り欠きを有する。したがって手持ちシェルは、形から手持ち無線電話よりも大きい。移動無線電話を取出した際に、手持ちシェルは、相応した部分がここから“切取られた”場合のように見える。
手持ちシェルは、通常の電話受話器の意図において湾曲していることができ、その際、受話口及び送話口は、弧状に湾曲した電話受話器の内側に配置されており、かつ手持ち無線電話のための切り欠きは、外側から（それぞれ送話及び受話口側に対向する側から）手持ち無線電話のキーボードがアクセスできるように構成されている。
なるべく保持ユニットは、押出しユニットを有し、この押出しユニットは、手持ち無線電話をロック解除した後に、容易につかむべき位置に運ぶ。
有利な構成変形において、保持ユニットは、押出しユニットのための１つだけのばね、及びロック及びロック解除機構のための１つだけのばねしか必要としないように構成されている。ロック解除及びロック部を有する保持ユニット全体は、手持ち無線電話を収容するシェルの底部に統合されている。すなわちこれら機械部分は、わずかな厚さだけしか持たないように構成されている。
手持ちシェル及びコンソールは、手持ちシェルをコンソール上の載せた際に、手持ち無線電話のキーボードがアクセスできるように構成されているならば、自由通話動作のためにとくに有利である。したがって手持ちシェルは、通話のためにコンソールから取出す必要はない。
手持ちシェル自身が、自由通話マイクロフォンを有すると、有利である。回路は、手持ちシェル内に手持ち無線電話を挿入する際に、手持ち無線電話自身の受話及び送話装置から手持ちシェルのものに、自動的に切換えられるように考慮している。この回路は、例えば手持ちシェル内に手持ち無線電話を挿入する際に自動的に操作される機械的又は電気的なセンサによって起動することができる。切換えは、手動で行なってもよい。
手持ちシェルは、手持ち無線電話のために例えば端から端まで延びた切り欠きを有し、この切り欠きは、手持ち無線電話を取出した際に、手持ちシェルにリング状の外観を与える。
コンソール自体は、例えば一種の円セグメントの外形を有し、その際、手持ちシェルは、円セグメントのセカント面上に載せることができる。コンソールは、例えば半分にされたチーズの固まりのような外観を有する。
手持ちシェルは、有利な構成様式において手持ち無線電話のための跳ね上げ可能な差込み部分を装備している。それにより手持ち無線電話のとくに操作しやすい差込み及び取出しが保証されている。差込みは、差込み部分が、ほぼ１０°ないし２０°だけ跳ね上げ可能なその状態において拘束されたままであることによって、なお改善することができる。この跳ね上げられた位置は、車両揺動及び振動によって引起こされる振動及び騒音を避けるために、なるべくばね負荷を受けて保持される。差込み部分は、別の有利な構成変形において、矢筒状に構成されており、その際、矢筒後壁は、矢筒縁を越えて上方へ引っ張られている。矢筒後壁の上方へ引っ張られたこの部分は、矢筒開口内に部分的に差込むべき手持ち無線電話のための案内レールとして使われる。この時、案内レールは、差込み部分とともに前方へ畳まれ、又は固定位置に留まることもできる。跳ね上げのための揺動軸線は、矢筒長手軸線に対してほぼ垂直に延びている。この時、この揺動軸線は、矢筒の範囲に及びその上に配置してもよい。
この時、手持ちシェルは、図１ないし４に示すように、手持ち無線電話を収容するシェルの意図において形成することができる。しかしこの手持ちシェルは、手持ち無線電話の上側及び下側部分のための収容部及びこれら両方の部分の間の狭い結合支柱を備えた鉄あれい状に構成してもよい。この構成は、“手持ちシェル”内に挿入された手持ち無線電話の総合幅を減少し；このことは、か弱い狭い手を有する電話をする女性にとってとくに有利であるようにする。この時、結合支柱は、人間工学的に曲げて構成することができる。
自由通話のためのコンソールの拡声器は、扁平な円セグメント面に設けられている。自由通話マイクロフォンは、適当な位置に配置されるので、自動車運転者に整列されている。
コンソール上に手持ちシェルを保持するために、磁石保持器が有利である。しかしクランプ、クリップ又はフック取付けも可能である。
手持ちシェル及び手持ち無線電話は、コンソールを介して電流を供給される。電流は、手持ち無線電話の給電のため及び蓄電池の充電のために利用することができる。
その他の有利な実施例及び特徴組合せは、次の詳細な説明及び請求の範囲の全体から明らかである。
実施例の説明のために利用される図面は、次のことを示している：
図１ａ−ｃは、手持ち無線電話、手持ちシェル及びコンソールを備えた電話機の概略的な表示を示し；
図２ａ−ｃは、手持ち無線電話、手持ち無線電話のための端から端まで延びた切り欠きを有する手持ちシェル及びコンソールを備えた電話機の概略表示を示し、その際、図２ｂ及び２ｃに示された手持ちシェル及び手持ち無線電話は、図２ａに示された位置に対して１８０°だけその長手軸線の回りで揺動され；
図３ａ−ｃは、手持ちシェル内における手持ち無線電話の概略表示を示し、その際、手持ちシェルは、送話口だけを有し、かつ図３ｂにおいて手持ちシェルは、図３ａにおけるその表示に対して１８０°だけその長手軸線の回りで回して示されており；
図４ａ−ｄは、手持ちシェルの一部として手持ち無線電話のための跳ね上げ可能な差込み部分を備えた図１ないし３に示された電話機に対する変形を示し、その際、
図４ａは、破線で示した切断されていない手持ち無線電話を備えた手持ちシェル及びコンソールの長手断面を示し、
図４ｂは、手持ちシェルの背面を示し、
図４ｃは、図４ａにおいて示された視線方向ＩＶｃにおける手持ち無線電話を持たないコンソール内に挿入された手持ちシェルの側面図を示し、かつ
図４ｄは、コンソールの平面図を示し；
図５は、手持ち無線電話を収容しかつ差込み部分として構成された手持ちシェルを長手断面において示した電話機の側面図を示し、基部は、長手断面において示した保持部内に保持されており；
図６は、図５における線ＩＩ−ＩＩに沿った横断面を示し（摺動体の破線で示した位置は、電話機の手持ち無線電話を取出した際に占めるものである）；
図７は、図５に類似であるが、釈放され前方へ揺動しかついくらか上方へ動かされた手持ち無線電話を有する長手断面を示し；
図８は、表面に保持するためのコンソール及びハンディーとして構成されかつシェル内において取出し可能に保持された手持ち無線電話を備えた電話機の斜視図を示し；
図９は、図８に示した電話機の斜視図を示し、その際、ここでは手持ち無線電話は取出されており；
図１０は、図８に示した電話機の斜視図を示し、その際、ここでは手持ち無線電話を含む手持ちシェルは、コンソールから取出して示されており；
図１１は、図８に示された電話機の中央長手断面図を示し；
図１２は、手持ち無線電話を保持するシェルの上側範囲において保持ユニットを図８ないし１１に対して拡大された表示で示す平面図を示し；
図１３は、図１２に示した保持ユニットを図１２の線ＶＩ−ＶＩに沿って示す横断面を示し；かつ
図１４は、手持ち無線電話が取出し可能に引出し揺動された位置において示された差込み部分の変形を示す長手断面図を示している。
図１ａは、手持ち無線電話１の概略的な斜視図を示している。この手持ち無線電話は、前方から見て長方形であり、かつ比較的わずかな厚さを有する。上側端部にアンテナ２が設けられている。下側端面に、取り外し可能なインターフェースの一部として電源端子６及びプラグ７がある。電源端子６を介して手持ち無線電話１は、電流を供給することができる。手持ち無線電話１が蓄電池を有する場合、この蓄電池は、電源端子６を介して充電することができる。プラグ７の機能は、さらに後に説明する。
通常のように手持ち無線電話は、キーボード３、マイクロフォン４（送話口として）、及び受話口５を有する。
本発明によれば、手持ち無線電話１は、例えば図１ｂに概略的に示したように、手持ちシェル８内に挿入することができる。手持ちシェル８は、例えば一種の量販の電話受話器に構成されている。この手持ちシェルは、手持ち無線電話の長方形の（又は正方形及び板状の）部材のための切り欠き９、及びアンテナ２のための切り欠き１０を有する。手持ちシェル８は、手持ち無線電話１よりもわずかだけ幅広い。切り欠き９の長手側に２つの狭い側壁１１．１及び１１．２が設けられている。これら側壁は、手持ち無線電話１の長手側の側壁を完全には覆っていないので、手持ち無線電話１は、切り欠きから容易に取出すことができる。
切り欠き９の下側端部において手持ちシェル８は、マイクロフォン１３を備えた送話口部分８．１を有する。切り欠き９に隣接するその側壁に電流供給接点１４が、かつインターフェースのその他の部分としてプラグ１５が、電源端子６及びプラグ７に対する連結可能な対向片として設けられている。
送話口部分８．１の下側端部における表示ダイオード１７は、例えば手持ちシェルが動作中であるかどうかを表示する。さらに送話口部分８．１は、ケーブル１８を有し、このケーブルは、手持ちシェル８を図１ｃによるコンソールに、又は車両の車載アンテナに接続する。
手持ちシェル８の上側端部に、受話口１２、アンテナ２のための切り欠き１０及び自由通話マイクロフォン１６を備えた受話口部分８．２が設けられている。
プラグ１５は、手持ち無線電話１と手持ちシェル８の電気的な連結を可能にする。とくにプラグ１５を介してマイクロフォン１３及び受話口１２の拡声器が接触可能である。手持ち無線電話１内に統合された回路は、手持ちシェル８内に手持ち無線電話１を挿入した際に、マイクロフォン４から又は自身の受話口５から手持ちシェル８の相応する部分１３及び１２に自動的に切換える。切換えは、手持ち無線電話に設けられたボタンの操作によって行なってもよい。さらにアンテナ信号は、プラグ１５を介して取出され又は供給されることができる。この時、手持ち無線電話１のための信号及び／又はエネルギーの伝送は、前記のように、電気的経路において行なうことができるが、とくに電話信号の誘導及び光学的な伝送も可能である。
しかしながら受話口部分８．２内において切り欠き１０の範囲において、信号の誘導による取出しを行なうことも考えることができる。伝送妨害を避けるために、車載アンテナ（コンソールの）を介して、かつ手持ち無線電話１のアンテナ２を介して、同時に送信しないように注意する。
手持ち無線電話１は、前方から切り欠き９内に挿入され、その際、少なくとも手持ち無線電話のプラグ７は、プラグ１５内に挿入される。その他の点において切り欠きは、なるべく手持ち無線電話１を挿入する際に、係止抵抗に打勝たなければならないので、手持ち無線電話１が形状及び力結合して手持ちシェル８内において固定保持されているように構成されている。さらに投出し機構を設けることは、有利なことがある。このようなものは、例えばボタンを含み、このボタンは、手持ちシェル８の外側から操作することができ、かつ投出しレバーを操作し、この投出しレバーは、手持ち無線電話１を切り欠き９から押出す。
ケーブル１８を介して手持ちシェルは、（詳細には図示しない様式で）図１ｃによるコンソール１９に接続されている。このコンソールは、２つの磁気保持器２０．１、２０．２及び２つの長手側レール２２．１、２２．２を備えた載せ面２１を有する。レールは、コンソール１９上における手持ちシェル８の正確な調節を保証する。図１ｂにおいては見えない手持ちシェル８の裏側に、磁気保持器２０．１、２０．２に対応する磁化可能な部分が配置されている。
台形のコンソール１９は、載せ面２１に対して垂直なその側面１９．１に、自由通話動作のための拡声器２３を有する。
コンソール１９及び手持ちシェル８は、互いにかつ手持ち無線電話１に、形に関して次のように同調されている：載せ面２１の長さ及び幅は、大体において手持ちシェル８の長さ及び幅に相応しており、とりわけ図１ｂにおいては見えないその裏側に相応している。したがって手持ちシェル８は、コンソール１９の外形の連続した延長部をなしている。同様に手持ち無線電話１は、手持ちシェル８内に合わされている。したがって手持ち無線電話は、手持ちシェルから形状的に突出しない。
図１ａ−ｃに示した構成において、手持ち無線電話１のキーボード３、及び手持ちシェル８の送話口又は受話口のマイクロフォン及び拡声器は、手持ちシェル８とともに手持ち無線電話１をコンソール１９上に載せたとき、上方に（すなわちコンソールから離れる方に）向けられている。
別の構成変形は、図２ａないし２ｃに示されている。
その際、手持ち無線電話２４は、軽く弧状に湾曲した手持ちシェル２５内に挿入可能である。手持ちシェル２５は、そのためにその内面３４．２に凹所２９を有する。手持ち無線電話２４を挿入した際に、この手持ち無線電話の裏側２４．１は、大体において手持ちシェル２５の内面３４．２と同一面内にある。さらに内側３４．２において、一方の端部にマイクロフォン３５が、かつ他方の端部に受話口３６が構成されている。
凹所２９は、長手方向に引き延ばされた開口３０を有し、この開口は、手持ちシェル２５内に挿入された手持ち無線電話２４の前側２４．２を釈放している。ケーブル２８（“電話コード”）は、手持ちシェル２５をコンソール２６に接続する。ケーブル２８は、手持ちシェルの下側端部から出ている。
図２ａにおいて明らかなように、手持ちシェル２５の凸状に湾曲した外面３４．１は、自由通話マイクロフォン２７を有し、この自由通話マイクロフォンは、この例において上側端部に配置されている。
自由通話のために必要な外側拡声器３１は、円セグメント状のコンソール２６の側面３２に設けられている。
手持ちシェル２５は、コンソール２６のいわゆるセカント面３３上に載せることができる。（コンソール２６を側部から観察すれば、このコンソールは、円セグメントの外観を有する。この時、セカント面とは、コンソールの端面のことであり、この端面は、縁境界として“投影された”セカントを有し、すなわち円弧状に湾曲しているのではなく大体において直線的な面を有する。）手持ちシェル２５の内面３４．２は、コンソール２６に向いている。手持ち無線電話２４の裏側２４．１に構成された取付け部分３７（例えばクリップ部分）は、（図には詳細に示されていない）コンソール２６のセカント面３３における相応する取付け部分に噛み合って固定することができる。しかしながらなるべく手持ちシェル２５も、手持ち無線電話２４に関係なく、コンソール２６に固定することができる。
手持ちシェル２５が手持ち無線電話２４をリング状に囲んでいることによって、この手持ち無線電話は、前側２４．２から及び後側２４．１からアクセスすることができる。とくに手持ち無線電話２４のキーボードは、手持ち無線電話を手持ちシェル２５とともにコンソール２６上に固定したとき、自由にアクセスすることができる。図１ａないし１ｃによる実施例において、手持ち無線電話２４は、なるべく手持ちシェル２５内に係止して固定保持されている。開口３０及び場合によっては存在する側部切り欠き３８．１、３８．２（凹所２９の長手側側壁における）に基づいて、手持ち無線電話２４は、手持ちシェル２５から容易に取出すことができる。
この時、手持ち無線電話は、有利な構成において同様にマイクロフォン及び受話口を有することができるが、これらは、簡単化した構成においては省略される。
第３の変形は、図３ａないし３ｃに示されている。
参照符号３９によって、再び手持ち無線電話が示されている。この手持ち無線電話は、手持ちシェル４０内に挿入可能であり、この手持ちシェルは、前側及び上側において開いている。手持ち無線電話３９は、２つの側面案内部４２．１及び４２．２の間に固定保持されている。
手持ちシェル４０のわずかに折れ曲がった脚部分４３は、電気的又は電子的な部品を含んでおり、これら部品は、手持ちシェル４０内において手持ち無線電話３９の接続又は動作のために必要である。これには、この例において、とくにマイクロフォン４４が含まれている。脚部分４３からさらにら旋ケーブル４９が出ている。
コンソール４１は、切られたチーズの固まりの形をしている。セカント面４７（このセカント面は、いわばチーズの固まりの切られた面をなしている）は、係止取付け部４５．２を装備している。この係止取付け部は、手持ちシェル４０の裏側４８における係止取付け部４５．１に対応している。
コンソール４１の側面又は主面に、半月形の拡声器開口４６が設けられている。
通話動作のためにその長手軸線の回りにおける手持ちシェル４０の転向を避けるために、“むね状の”構成を行なってもよく、その際、この時、内側になるべく別のマイクロフォン及び受話口が設けられており、これらは、オフフックの際に起動される。
図４ａないし４ｄは、第４の構成を示している。参照符号５１によって、再び手持ち無線電話が示されており、この手持ち無線電話は、手持ちシェル５３内に挿入することができる。手持ちシェル５３は、コンソール５５に取り外し可能に保持されている。両方の部分５３及び５５は、射出成形方法において合成物質から作られている。
コンソール５５は、内側凹所５６を備えてほぼ正方形に構成されており、かつ沈められた通口５４ａ及び５４ｂ内にある２つのねじ５７ａ及び５７ｂによって図示しない車両の内部においてそのダッシュボード表面５８にねじ止めされている。内側凹所５６は、手持ちシェル５３の上側部分に一体形成された受話カプセル部分５９に対する対向片を形成している。受話カプセル部分５９は、受話カプセル６１（ダイナミック、ピエゾ電気的、・・・）を支持している。内側凹所は、互いに対向する２つの凹所壁に、弾性節６２及び固定の節６３を有し、これらは、受話カプセル部分５９の側壁における対応する切り欠き６５ａ及び６５ｂ内に噛み合う。弾性節６２は、側壁に配置された弾性片として構成されている。さらにコンソール５５は、電気的切換え機能のために使われる弾性接点ピン６５を有する。
手持ちシェル５３は、受話カプセル部分５９から出発して、フォーク状に構成されかつ切り欠き６４を区画する２つの側部縁６６ａ及び６６ｂを有し、これら側部縁の端部範囲は、軸６７に結合されており、又はそれぞれ１つの軸片を有する。受話カプセル部分５９は、底板８８によって閉じられている。軸６７は、矢筒状の差込み部分６９のために揺動軸として使われ、この差込み部分内に、手持ち無線電話５１が、その下側縁範囲によって挿入可能である。存在するかぎり、切り欠き６４を通って、手持ち無線電話５１の裏側に配置された図示しない追加的な表示及び操作要素を動作させることができる。矢筒の深さは、保持が可能であるが、手持ち無線電話５１のボタン７０が支障なく操作できるままであるような大きさに選定されているにすぎない。揺動軸６７は、矢筒中空空間７１の上側部分に配置されている。案内板７２は、矢筒縁７５を越えるように矢筒後壁７３を延長している。それにより差込み部分６９は、“矢筒状又はスリッパ状の”外観を有する。矢筒後壁７３にマイクロフォン７４（ダイナミック、静電（エレクトレット）等）が配置されている。受話カプセル６１及びマイクロフォン７４は、接点ピン６８を介して起動することができる。図４ａないし４ｄにおいて、電気的結線は示されていない。
矢筒底部７６において、前記の構成と同様に、手持ち無線電話５１のエネルギー及び信号に関する連結のためのインターフェース７７が設けられている。車両の内部空間におけるコンソール５５の取付けは、手持ち無線電話５１が、上側から差込み部分６９に差込むことができるように行なわれる。ボタン７０は、その操作が差込まれた状態においても可能であるようにするために、手持ち無線電話５１を差込んだ際に、外部にある。
差込み部分６９に対して他方の手持ちシェル５３の端部に、手持ち無線電話５１の上側部分のためのロック装置を有する保持部分７９が配置されている。ロック装置は、アンテナを収容するために、手持ち無線電話５１のアンテナ８１の横断面に合わされた長手スリット８０を有する。この長手スリット８０は、アンテナ８１が、したがって手持ち無線電話５１が手持ちシェル５３内に固定保持されているように、摺動体８３によって橋絡することができる（閉じることができる）。摺動体８３は、引っ張りばね８４によってロック位置に保持されている。保持部分７９の上側部分に、同じでない長さの脚８６ａ及び８６ｂを有するＵ字型のロック要素８５が配置されている。短い脚８６ａは、穴９０内において手持ちシェル５３の底板８８を貫通しており、かつ図４ａにおいてばね８７の力に抗して手持ち無線電話５１の背面８９によって押込まれている。長い脚８６ｂは、これによりブラインドホール９１から外れている。この状態において摺動体８３は、長手スリット８０上に引っ張られ、かつそのアンテナ８１を介して手持ち無線電話５１を固定する。図４ｃは、挿入された手持ちシェル５３を有するコンソール５５を示しているが、手持ち無線電話５１は取出されている。この場合、長い脚８６ｂは、ブラインドホール９１内に押込まれており、それにより摺動体８３は、引っ張りばね８４の引っ張り力に抗して長手スリットを開いて保持する。
手持ち無線電話５１が手持ちシェル５３内に挿入されている際、脚８６ａは、圧縮ばね８７の力に抗して下方に押され、かつ摺動体８３は、その引っ張りばね８４の力のため、長手スリット８０内にあるアンテナ８１上に引っ張られる。手持ちシェル５３から手持ち無線電話５１を取出すために、この手持ち無線電話は、その上側部分においてつかまれ、かつ親指によって摺動体８３は、アンテナ８１が露出するまで、左方に動かされる。この時、手持ち無線電話５１は取出され、それにより脚８６ａは、すでにわずかな程度だけ引出した際に、ばね８７によって底板８８に底部横棒９３が当たるまで押出されており、したがって同時にロックレバー８５の長い脚８６ｂは、ブラインドホール９１内に侵入し、それにより摺動体８３は、その引っ張りばね８４の力に抗して左方に押出されたその位置に保持されている。それにより長手スリット８０は開いている。手持ち無線電話５１は、いつでも再び戻して置くことができる。
この時、手持ち電話５１を再び手持ちシェル５３内に挿入すると、手持ち無線電話５１をほぼ完全に押込んだ際に、短い脚８６ａは下方に押され、かつ摺動体８３は、長い脚８６ｂの引き出しによって釈放され、それによりこの摺動体は、ばね８４によってアンテナ８１の上方に動かされる。手持ち無線電話５１は、再びロックして保持される。
ロック要素８５の側方支持は、一方において底板８８の穴９０によりかつ手持ちシェル壁における摺動体８３の下の別の穴９５によって行なわれる。
手持ち無線電話５１は、ボタン７０が自由にアクセスできるように、手持ちシェル５３内に保持されている。この時、手持ちシェル５３は、“裏側”に受話カプセル及びマイクロフォンを有するので、手に持って手持ち無線電話を回転することなく通話することができる。
手持ちシェル５３の“頭側”に配置されたボタン９６を介して、電話動作を投入及び遮断することができる。
図５ないし７は、別の変形を示している。
手持ちシェルとしての基部１０５におけるハンディー１０１として構成された手持ち無線電話の保持は、保持安全装置１１９によって行なわれる。保持安全装置１１９は、挿入した際に自動的にハンディー１０１の少なくとも１つの表面範囲を上からつかみ、それによりこの時、このハンディーは、脱落を防止されている。保持安全装置１１９は、ばね負荷を受けた摺動体として基部１０５の上側端部に配置されており、かつ基部の長手軸線に対して横向きに摺動可能である。
基部１０５は、その上側部分においてばね負荷を受けた摺動体１１９の範囲に、ハンディー１０１のアンテナ１２２のアンテナ脚１２１のための収容ユニットとして、凹所１２０を有する。図５ないし７においてアンテナ１２２は、押込まれて図示されている。摺動体１１９と凹所１２０は、アンテナ脚１２１の横断面で見て、アンテナ脚１２１が凹所１２０内に挿入可能であるように構成されており、かつ摺動体１１９によって凹所は、ハンディー１０１がその位置に固定されるように閉鎖可能である。
摺動体１１９は、とくに図６に示されたように、アンテナ脚１２１の横断面に合わされた縁切り欠き１５１、及び段状のスリット凹所１５４において終っている長手スリット１５３を有する。基部１０５の上側範囲内における摺動体１１９の下に、圧縮ばね１５５によって負荷をかけられたＵ字型の押し棒１５６が配置されている。摺動体１１９は、板ばね１５７の力によって、挿入されたアンテナ脚１２１を上からつかむその位置に保持されている。Ｕ字型押し棒１５６は、短い及び長い脚１５９ａ又は１５９ｂを有する。脚結合部１６１に圧縮ばね１５５が作用している。
摺動体１１９をアンテナ脚１２１の軸線に対して垂直にここから引き離すと、長い脚１５９ｂの端部は、アンテナ脚１２１に隣接する摺動体縁１６３に通じる溝１６２内において、段状のスリット凹所１５４内に滑り落ちる。凹所１２０内にあるアンテナ脚１２１は、釈放されており、かつ凹所低い点によって噛み合う短い脚１５９ａによって凹所１２０から押出されている。スリット凹所１５４内への長い脚端部の飛込みによって、摺動体１１９は、その引き戻された位置において固定されている。この時、アンテナ脚１２１が凹所１２０内に押込まれると、押し棒１５６は、圧縮ばね１５５の力に抗して押込まれ、長い脚１５９ｂは、スリット凹所１５４から出て、かつ板ばね１５７は、摺動体１１９をアンテナ脚１２１上に動かし；ハンディー１０１は、その上側範囲において保持されている。
短い脚１５９ａをアンテナ脚１２１に作用させる代わりに、この短い脚及びその保持部は、この短い脚がその上側部分においてハンディー１０１の後壁のあらゆる任意の場所に作用するように構成することができ；下側ハンディー部分は、後に説明する差込み部分１２６によって保持される。
しかし差込み部分１２６内にあって、側部縁１２３ａ及び１２３ｂの端部範囲にかつ軸１２５の範囲に、それぞれ１つのカラーユニット１２９ａ及び１２９ｂが配置されている。ここでも図５ないし７における概略的な表示に基づいて、一方のカラーユニット１２９ｂだけしか見えない。カラーユニット１２９ａ及び１２９ｂの高さは、その後壁１３０ａからその前壁１３０ｂへの差込み部分１２６の幅の公差を除いて対応しているような高さになっている。カラーユニット１２９ａ及び１２９ｂは、差込み部分１２６の出口１３１の方に向いたそれぞれ１つの載せ面１３２ａ又は１３２ｂを有し、この載せ面上にハンディー１０１の下側１３３が立っている。載せ面１３２ａ及び１３２ｂは、基部後壁に対して垂直に、かつ軸１２５に対して平行になっている。
以上の考察によれば、差込み部分１２６の深さは、差込み部分１２６を畳み込んだ状態においてハンディー１０１の下側部分が支障なく保持されており、かつ跳ね上げた状態においてハンディー１０１が容易に取出すことができ、その際、前側１３０ｂが損傷することなく、とくにその一部が割れ又は裂けることのないように、選定されている。
揺動軸１２５は、矢筒状の差込み中空空間１３５の上側部分に配置されている。案内板１３６は、差込み縁１３７を越えて後壁１３０ａを延長している。それにより差込み部分１２６は、“スリッパ状の”外観を有する。差込み部分後壁（矢筒後壁）１３０ａに、（図示しない）マイクロフォン（ダイナミック、静電（エレクトレット）、・・・）が配置されている。受話カプセル及びマイクロフォンは、接触ピン１１７を介して起動することができる。図５ないし７に、電気的な結線は図示されていない。
差込み部分１２６内に、ハンディー１０１のエネルギー及び信号に関する連結のためのインターフェース１３９が設けられている。差込み部分１２６内におけるカラーユニット１２９ａ及び１２９ｂの下の空間は、とくに例えば充電のための電気回路装置を収容するため、信号処理のため、又はその整合のために使われる。コンソール１０６の取付け（例えば車両の内部空間内における）は、ハンディー１０１が上から差込み部分１２６内に差込むことができるように行なわれる。ボタン１４０は、差込んだ状態においてその操作を可能にするために、ハンディー１０１を差込んだ際に、外側にある。
差込み縁１３７の前側１３０ｂにおける前側縁１４１は、差込み部分１２６を跳ね上げた際に、軸１２５の回りで円弧１３６上において移動する。載せ面１３２ａ及び１３２ｂは、跳ね上げ際に場所及び位置について不変であるが、ハンディー１０１は、前方へ畳まれ、すなわちハンディー１０１の下側は、載せ面１３２ａ及び１３２ｂ上において繰り出され、それによりハンディー１０１は、差込み部分１２６内において上方へ動かされる。図５に示すように、ハンディー１０１の下側範囲は、畳み込まれた状態において、とりわけ差込み部分１２６の前壁１３０ｂの前壁高さａｇによって確実に保持されている。
差込み部分１２６の前方へ畳んだ状態において、ハンディー１０１の下側範囲をなお保持する前壁高さａａは、図６に示すように減少する。ハンディーは、問題なく取出すことができる。前壁１３０ｂの損傷は、もはや起こり得ない。
挿入されたアンテナ脚１２１を上からつかむ摺動体１１９を構成する代わりに、この摺動体は、アンテナ脚を含むハウジング部分を囲むこともできる。ハンディーハウジングの任意の範囲を摺動体によって上からつかむこともできる。なるべくほぼ垂直に保持した際に、それぞれハンディーの上側範囲において摺動体を、かつ下側範囲において差込み部分を利用する。しかしながら摺動体及び差込み部分の場所は、互いに入れ換えてもよい。
カラーユニット１２９ａ及び１２９ｂの載せ面１３２ａ及び１３２ｂは、基部の側部縁１２３ａ及び１２３ｂに対して平らに延びている必要はなく、かつ垂直に延びている必要もない。差込み部分１２６を跳ね上げた際に、ハンディー１０１の下側範囲は、載せ面１３２ａ及び１３２ｂにおいて上方に動かされるので、その上側縁に上方への（図示されていない）膨らみを付けることができる。それにより差込み部分の跳ね上げの際に、残りの前壁高さａａは、“畳み込まれた”前壁高さａｇとの比において減少する。
差込み部分１２６を跳ね上げ可能に構成する代わりに、カラーユニット１２９ａ及び１２９ｂは、ばね負荷を受けるように構成することができる。この時、ハンディー１を取出す際に、このハンディーの下側範囲は、ばね力によって上方に動かされ、かつそれから初めてカラーユニットの表面において繰り出される。
側方に配置された両方のカラーユニット１２９ａ及び１２９ｂの代わりに、１つだけを、基部１０５上において差込み部分１２６の後壁１３０ａのほぼ中央に配置してもよい。しかしながらこの場合、後壁１３０ａは、この１つのカラーユニットのための通口を持たなければならない。軸１２５に対して垂直なこの１つのカラーユニットの位置は、両方のカラーユニットと同様に選定しなければならない。前記の構造に対して、このことは、高価であり、かつ加えてわずかな機械的安定度に結付いている。
前記のカラーユニット１２９ａ及び１２９ｂは、きわめて効果的かつ簡単な構造において、基部の側部縁１２３ａ及び１２３ｂに配置されている。カラーユニットの投出し器特性を増大するために、これらカラーユニットは、前方へ畳む際に上方に移動可能な差込み部分の後壁に配置された摺動体要素と一緒に動くこともできる。
図８に示された電話機の変形は、同様にコンソール２０１、及び手持ちシェル２０３内に取出し可能に保持されたハンディー２０５を有し、このハンディーの操作ボタン２０６は、上方に向いている。手持ちシェル２０３は、信号及びエネルギー供給を行なうケーブル２０４に接続されている。コンソール２０１は、とくに図１０において明らかなように、内側凹所２０７を有しほぼ正方形に構成されており、かつ垂直な通口２０９ａ及び２０９ｂ内にある２つのねじ２１０ａ及び２１０ｂによって底面２０８にねじ止めされている。取付けは、手持ちシェル２０３及びハンディー２０５がコンソール２０１内にほぼ垂直に保持されているように選定されている。コンソール２０１の内側凹所２０７は、手持ちシェル２０３の上側部分２１１に一体に形成された追加的な受話カプセル部分２１３に対する対向片を形成している。受話カプセル部分２１３は、受話カプセル２１４（ダイナミック、ピエゾ電気的、・・・）を有する。内側凹所２０７は、互いに対向する２つの凹所壁に弾性的な節２１５、及び弾性的に保持された係止ピン２１７を有する。節２１５及び係止ピン２１７は、受話カプセル部分２１３の側壁における相応する切り欠き２１９ａ及び２１９ｂ内に噛み合っている。弾性的な節２１５は、受話カプセル部分２１３の側壁部分とともに弾性的な片として構成されている。
手持ちシェル２０３は、その下側範囲において、下側ハンディー縁２２１の側方の形状結合した保持部のための剛体の差込み凹所２２０を有する。凹所縁２２２は、前側及び側方のハンディー縁２２１を囲んでいる。手持ちシェル２０３の裏側を形成するシェル底部２２３は、コンパクトに構成されている。このシェル底部は、手持ちシェル２０３に安定度を与え、かつ同時に凹所２２０内への下側ハンディー縁２２１のための挿入補助として使われる。差込み凹所２２０内に、インターフェースとしてハンディー２０５にエネルギー及び信号を伝送するためにばね２２５によって浮動保持されたプラグ２２６が配置されている。プラグ２２６は、ハンディー２０５から離れた方のその端部において、ハンディー表面に対して平行に延びた揺動軸２２７の回りで揺動可能に支持されている。差込み凹所２２０は、音響的に裏側２２１に向かって開いたマイクロフォン２２９を有する。
手持ちシェル２０３は、その上側範囲に、裏側のハンディー上側部分のための保持ユニット２３０を有する。保持ユニット２３０内に、ハンディー２０５は、自動的にロックするように押込み可能であり、かつ図１０において見ることができる手持ちシェル２０３内に配置されたロック解除装置のロック解除ボタン２３１を介してのみ、取出しのためにロック解除することができる。ロック解除ボタン２３１は、圧縮ばね２３３に介して可能でありかつシェル底部２２３に配置された板２３５の一部である。板２３５は、ここを通して後に説明する押出しユニット２３９がはまる通口２３７を有し、かつ凹所２３８の側方縁２３６ａ及び２３６ｂにおいてシェル底部２２３内に案内されている。通口２３７の側方幅ｓは、押出しユニット２３９の外側幅よりも、遊び公差だけ大きい。通口の長手幅１は、押出しユニット２３９プラスロック解除ボタン２３１のロック行程よりも、公差だけ大きい。図１２に示された実施例において、押出しユニット２３９は、円筒形の押し棒２４０を有する。
さらに板２３５は、その長手中心線２４１に対して鏡像対称に構成されたこれに対して斜めに延びた２つの案内スリット２４３ａ及び２４３ｂを有する。案内スリット２４３ａ内にピン２２４ａが噛み合っており、このピンは、同様に保持ユニット２３０に所属のアングル摺動体２４５ａの下側に配置されている。アングル摺動体２４５ａは、シェル底部２２３における溝２４７ａ内において可動である。その外側端部においてアングル摺動体２４５ａは、係止要素部分としてフック上の節２５３ａを備えた直立したアングル脚２５１ａを有する。この節２５３ａは、ハンディー２０５の上側範囲２５６の狭い側における他方の係止要素部分としての相応する凹所２５４ａ内に噛み合っている。節２５３ａのフック傾斜は、節２５３ａが上方に向かって先細になるように構成されている。アングル摺動体２４５ａに対して鏡像対称に、相応するアングル脚２５１ｂ及び相応する節２５３ｂを備えたアングル摺動体２４５ｂが存在し、このアングル摺動体は、溝２４３ｂ内において同期して可動であり、かつこのアングル摺動体の節２５３ｂは、対向するハンディーの狭い側における凹所２５４ａに対して構成された凹所２５４ｂ内に噛み合うことができる。その節２５３ｂを備えたアングル脚２５１ｂは、図９において認めることができる。同様に図９に及び図１２及び１３において認めることができるように、板２３５、溝２４７ａ及び２４７ｂ内にある他方の脚２５５ａ及び２５５ｂ、及び圧縮ばね２３３は、カバー２５７によって覆われている。カバー２５７は、押出しユニット２３９の押し棒２４０のために、その横断面に相応する遊び整合だけ拡大された通口２５９を有する。この通口２５９は、押し棒２４０のための案内部として使われる。
図１３に長手断面図で示された押し棒２４０は、シェル底部２２３における円筒形凹所２６０内にある。凹所２６０は、中心に配置された円筒形の高所２６１を有し、この高所は、リング空間２６３によって、凹所２６０の内壁から離されている。高所２６１は、高所の回りにある圧縮ばね２６２のために側方支柱として使われる。押し棒２４０は、円筒形のキャップとして構成されており、このキャップの外径は、通口２５９の直径よりも、遊び公差だけ小さい。押し棒２４０の内径は、リング空間２６３内にある圧縮ばね２６２の外径よりも、公差だけ大きい。リング空間２６３の深さ及びキャップの深さは、圧縮される圧縮ばね２６２のために十分に空間があり、かつ押込まれた状態において押し棒２４０のキャップ表面２６５がほぼカバー２５７の開いた表面と同一面内にあるように決められている。
押し棒２４０の外周面に長手溝２６７が延びており、この長手溝は、キャップ表面の下において段状に切り欠き２６９に移行している。この切り欠き２６９内に噛み合うために整合して、ロック解除ボタン２３１によってばね２３３の力に抗して可動の板２３５は、突起２７０を有する。ばね２３３の力のために切り欠き２６９内に突起２７０が噛み合う際、押し棒２４０は、その引き込まれた位置に保持されている。同時にアングル摺動体２４５ａ及び２４５ｂも、内方に引っ張られている。この状態において、手持ちシェル２０３内に挿入されたハンディー２０５は、紛失することがないようにこの中に保持されており、その際、この時、節２５３ａ及び２５３ｂは、ハンディー２０５の長手側における相応する凹所２５４ａ及び２５４ｂ内に噛み合っている。圧縮ばね２６２によって押出された状態において押し棒２４０は、円筒周面に至る長手溝２６７の段状の下側端部２７１における突起２７０の噛み合いによって、完全な押出しにならないように保持される。
押し棒２４０は、図示されていない電気スイッチと共同動作する。押し棒２４０を押込んだ際にだけ、手持ちシェル内のマイクロフォン２２９及び受話カプセル２１４が起動される。
この時、ハンディー２０５を手持ちシェル２０３内に挿入した際に、ロック解除ボタン２３１を押込むと、案内スリット２４３ａ及び２４３ｂ及びピン２４４ａ及び２４４ｂを介して、アングル摺動体２４５ａ及び２４５ｂは、溝２４７ａ又は２４７ｂ内において外方へ動かされる。それにより節２５３ａ２５３ｂは、ハンディー２０５の長手側における相応する凹所２５４ａ及び２５４ｂから動く。この時、ハンディー２０５の上側部分２５６が露出し、下側ハンディー縁２２１は、まだ差込み凹所２２０内に差込まれており、凹所縁２２２によって保持されている。同時に突起２７０は、切り欠き２６９から引出され、それにより押し棒２４０は釈放され、かつ長手溝２６７の下側端部２７１に突起２７０が並ぶまで、圧縮ばね２６２によってシェル底部２２３から押出される。それによりハンディー２０５の上側部分２１１は、手持ちシェル２０３から押出され、かつこの時、手によって良好につかむことができる。上側部分２１１は、良好に取出すために、なるべく５°ないし２０°だけ押出される。
ハンディー２０５を挿入する際、このハンディーの長手側は、節２５３ａ及び２５３ｂのフック傾斜のため、アングル脚２５１ａ及び２５１ｂを押し、すなわちアングル摺動体２４５ａ及び２４５ｂを外方へ押す。ピン２４４ａ及び２４４ｂ及び案内スリット２４３ａ及び２４３ｂを介して、板２３５は、方向Ａに引っ張られる。ハンディー２０５がほぼ完全に押込まれていると、節２５３ａ及び２５３ｂは、ハンディー２０５の狭い側における凹所２５４ａ及び２５４ｂ内に係止し、かつ突起２７０も、切り欠き２６９内に係止する。ハンディー２０５は、ロックされており、かつ押し棒２４０は、圧縮ばね２６２に応力をかけて、その押込まれた位置に保持されている。
すでに前記のように、押し棒２４０を押込んだ際、（図示しない）電気接点が閉じ、この電気接点は、手持ちシェル２０３内の受話カプセル２１４及びマイクロフォン２２９を起動する。この時、押し棒２４０が、ハンディー２０５を挿入せずに手動で押込まれると、第２の通話加入者は、一緒に送話しかつ受話することができる。
それぞれ１つの案内スリット２４３ａ又は２４３ｂ及び噛み合ったピン２４４ａ又は２４４ｂによって、アングル摺動体２４５ａ及び２４５ｂを動かす代わりに、板及びアングル摺動体は、互いに噛み合った傾斜部を有することもできる。この場合、この時、アングル摺動体は、ばねによって互いに向かって又は板に向かって押される。この押す力は、手持ちシェルの縁における上方に立ったアングル脚に向かってそれぞれ１つのばねによって発生してもよい。
なるべく自動車において使用されるハンディー（手持ち無線電話）において、保持部の構造において常に使用すべきハンディーの正確にあらかじめ与えられた寸法を前提とすることはできない。ハンディーのタイプに応じて、一部それどころか同じモデルの際に、異なった“バッテリーパック”（蓄電池）が使用される場合、相異が生じる。
この時、差込み部分の収容位置に遊びを持ってハンディーを挿入することが提案される。したがって枠は、その厚さ公差に関係なく押さずに、したがって損傷の危険なく、収容すべきハンディー（これは明らかに送話器と解する）を挿入し又は押し込むことができるように広い寸法にされる。ハンディーが遊びを持ってその中に保持される広い枠にもかかわらず、収容位置において弾性押付け手段は、なお作用せず、又は高々わずかな圧力でしか作用しない。それ故にこれまでいくつかの枠において存在した損傷の危険ばかりでなく、枠とともに一緒に動くばね手段において生じた損傷の危険もなくなる。なぜなら後者の場合、ハンディーは枠壁においてこすれ、それによりこすりこん跡及びかき傷が生じることがあるからである。
ここにおいて利用された押付け手段は、差込み部分が不動作位置に揺動されたときに、初めてその作用を開始し、その際、この押付け手段は、上側枠部分に向かってかつ場合によっては保持安全装置に向かって、最大の圧力で不動作位置におけるハンディーを押すので、ハンディーは、確実に保持されており、かつ走行の間に騒音を発することはない。
差込み部分３０４がその回りで揺動可能に支持された図１４に示された揺動軸３１５は、手持ちシェル３０３の脚３１６にある。差込み部分３０４は、弾性的な揺動手段により、すなわち手持ちシェル３０３に支持された１対のクリップ状の圧縮ばね３１９によって、不動作位置から収容位置に揺動される。圧縮ばね対３１９の力に抗して差込み部分３０３により収容されるハンディー３０２に作用する圧力により、差込み部分３０４は、挿入揺動された不動作位置に戻される。ここにおいて、手持ちシェルの端壁の長手スリット内にハンディーのアンテナがある。
差込み部分３０４は、矢筒状に構成されている。これは、分離壁３２４を有し、この分離壁は、キャップ状の端部３２５を切離している。差込み部分３０４の口は、種々の厚さのハンディーを、すなわち一層大きな厚さ公差だけ相異したバッテリーパック（異なった出力の蓄電池）を有するハンディー３０２を使用することができる程度の大きな遊びを持って、ハンディー３０２の下側端部３１３に整合されている。
挿入部分３０４の後側範囲の延長部としての載せ板３３５は、（図示しない）切り欠きを有し、この切り欠き内に、分離壁３２４に一体射出成形されたきわめて薄い押付け片（押付けフラップ）３３６が配置されており、この押付け片は、圧力伝達部材として作用する。押付け片３３６を、弾性押付け手段が押し、すなわち手持ちシェル３０３に支持された曲げばね（圧縮ばね）３３７が押す。その間にある押付け片３３６を介して曲げばね３３７は、差込み部分が挿入揺動された不動作位置に案内されるとすぐに、差込み部分の口の上側（矢筒シェル）３３８にハンディー３０２を押付ける。
引出し揺動された収容位置において、曲げばね３３７は、完全に応力解除されており、かつその押付け端部は、押付け片３３６から離されているので、どのような圧力も作用しない。不動作位置に揺動する際、曲げばね３３７は、不動作位置において差込み部分の口の上側部分に向かって最大のばね力によりハンディーを押すまで、徐々にますます強力に押付け片３３６を介してハンディー３０２を押す。その際、ハンディー３０２に上方に向かって作用するばね圧力は、（わずかな場合でも）その保持安全装置内におけるアンテナの押付けも引起こす。
曲げばね３３７の圧力により、薄い及び厚いハンディー３０２が、確実かつ固定的に保持されるので、とくに振動の際にかたかた鳴る騒音は生じず、この騒音は、さもなければ例えばでこぼこの道路上を走行する際に避けられない。
保持部は、ハンディーのための代わりに、送受器のために使用することもでき、例えば通常の自動車電話の送受器のために構成することができる。その際、異なったハンディー厚さの問題は生じない。それでもなお前記の構造は、固定的に設置される完備した自動車電話に対しても利点を提供する：すなわち送受器は、ここでも容易にかつめんどうなく差込み部分に挿入することができ、それにより取扱いが容易になるばかりでなく、送受器の外面における機械的消耗こん跡及び損傷の危険も減少する。この場合、手持ちシェルは、目的に合うように車両内に固定的に係止すべき取付けソケットである。送受器のための電話保持部の構成の際、送受器に接続されるケーブルの通過案内を考慮することは明らかである。例えば差込み部分の口の送受器上つかむ部分３３８、及びキャップ状の端部３２５は、送受器接続ケーブルを通すための端から端まで延びた幅広いスリットを有することができる。しかしこの場合、目的に合うように保持部（又は差込み部分及びその口）は、送受器の上側の縁幅の真上だけをフォーク状につかむので、ケーブルのための保持部は、上から自由にアクセスすることができる。
曲げばね３３７は、差込み部分３０４の引出し揺動した収容位置において、わずかな圧力で押付け片３３６に又はハンディーに作用するように設計してもよい。しかしこの曲げばねは、ハンディーをほとんど圧力をかけずに差込み部分内に挿入し、かつ取出すことができるように、収容位置において高々わずかな圧力でハンディー３０２を押すように構成される。
差込み部分３０４に一体射出成形された薄い押付け片又はフラップ３３６の代わりに、それよりも厚い押付け部材を設けてもよく、この押付け部材は、差込み部分に関節状に支持されている。圧力伝達部材だけが問題になり、したがって部材の場合によっては存在する自身の弾性作用（ばね作用）が、曲げばねのばね力又は弾性より小さいということが重要である。
圧力が揺動位置に依存して及ぼされ、すなわち収容位置において最小に、かつ不動作位置において最大に及ぼされるということが、最終的に問題になる。いずれにせよこのことは、基部に支持された押付けばねによって可能である。差込み部分と一緒に動く押付けばね又は押付けばねを弾性的に援助する一緒に動く圧力伝達部材において、このことは、押付けばね又は伝達部材が、不動作位置への揺動の際に手持ちシェルに当たり、かつ手持ちシェルにおいてこの時に行なわれる支持によってますます強力にハンディーを押すように構成され、かつ配置されている場合にだけ可能である。
基本的に圧力作用部材３３６は、差込み部分３０４に一体射出成形される代わりに、手持ちシェル３０３に又は曲げばね３３７上に支持されていてもよく、その際、自身のばね作用は、所望のように曲げばね３３７の作用を援助する。差込み部分における圧力作用部材の支持は、とにかく有利である。なぜならそれにより部材が、ハンディー底部において往復摺動せず、かつこの部材に傷付けないことが保証されているからである。
手持ちシェルは、支持台上又は壁に係止するために、その裏側において取付けソケットとして構成してもよい。とくにこのことは、固定的に設置された完備した自動車電話装置にとって有利であり、ここでは保持部は、通常の送受器を収容する。
もちろん本発明は、説明した実施例に限定されるものではない。例の特徴を互いに組合わせることができることは、明らかである。例えば手持ちシェルは、種々の様式でコンソールに取付け可能にすることができる（磁気保持部、クリップ保持部、クランプ取付け、スナップ係止拘束、・・・）。振動及び突然の衝撃の際にも優れている取付け様式は、自動車における用途にとって重要である。
手持ち無線電話は、前から（図１ａないし１ｃ）又は後から（図２ａ及び２ｂ）の代わりに、側面から手持ちシェル内に挿入し又は押込むことができる。なるべく、しかし強制的にではなく、手持ち無線電話、手持ちシェル及びコンソールは、光学的な又は形状的な丸められたユニットを形成する。
基本的にコンソールは、なんらかの方法で（したがってそれ自体周知の方法で）、構成することができる。手持ち無線電話は、とくに本発明による装置に対して構成することができる。しかし手持ちシェルは、周知の構成様式の手持ち無線電話にも合わせることができる。手持ちシェルにおける又はコンソールにおける自由通話能力は、選択可能なものであり、すなわち手持ちシェルは、アンテナ端子を備えた機械的な保持部として構成することができる。自由通話マイクロフォン又は拡声器が、コンソールに又は手持ちシェルに設けることができることは、明らかである。
手持ちシェルが、受話及び送話口を有する場合、これにより通話はさらに快適である。なぜなら口の間の距離は、手持ち無線電話におけるものよりも大きいからである。手持ち電話におけるものは、周知のように重量及び場所的な理由によりできるだけ小さくするようにする。
チップ又はテレフォンカードのためのいずれにせよ望ましいカード読取り装置は、なるべく手持ち無線電話内に統合されている。
しかし手持ちシェル又はコンソールが相応する能力を有することができることは、明らかである。
手持ち無線電話の電気的な連結を行なうプラグをどこに配置するかは、最終的に手持ち無線電話をどのように構成するかには関係ない。手持ち無線電話の構成に応じて、プラグは、下の代わりに、上に、側部に又は別の位置に設けることができる。
もちろんコンソールは、強制的なものではない。基本的に手持ちシェルのために小さな差込み保持部で十分である。
送受器（又は手持ちシェル）の送話口と受話口との間の距離は、なるべくできるだけ大きく選定され、その際、寸法決定は、目的に合うように漏話又はいわゆる“エコー帰還損失”及び“安定度損失”を考慮して行なわれ、かつ例えばＤＩＮ規格又は相応する国際勧告（勧告Ｐ．７６）を考慮して行なうことができる。手持ち無線電話（なるべくいわゆるハンディー）は、小さなかつ軽い装置として存在するので、これを収容する送受器の場合、音響的な観点のために軽さ及び小ささの観点が問題になることはなく、したがって配置は、口の間隔が、口と耳の間隔に相当し、又は少なくともほぼ相当し、かつ大きな受話口音量の際にも音響的な帰還が避けられるように行なわれる。その際、送受器は、音量を調節する調節手段（押しボタン又は回転ノブ）を有することができる。
前記のように、受話及び送話口は、送受器の内側に配置されており、かつ使用される手持ち無線電話（又はハンディー）のボタン及び表示（ＬＣＤ）は、外側に配置されている。その際、目的に合うように配置は、使用される手持ち無線電話（ハンディー）のすべてのボタンが、操作可能であり、その表示が、完全に見ることができ、かつその信号トーン発生器が、空いた出口を有するように行なわれる。送受器ハウジングが、重要なボタン、表示又は信号トーン発生器を覆う場合、当該の位置において、ハウジングに切り欠きを設けることができる。例えば矢筒状の差込み部分６９に、下側ハンディー端部に配置された信号トーン発生器のためにベルマウスの様式にしたがって構成された開口を設けることができる。
手持ち無線電話（ハンディー）のマイクロフォンは、送受器内において使用される状態において、送受器の自由通話マイクロフォンとして接続することができる。
手持ち無線電話（ハンディー）は、なるべく完全に送受器によって（手持ちシェルによって）囲まれる。しかし手持ち無線電話（ハンディー）は、わずかに手持ちシェルを越えて突出してもよく、例えばハンディーアンテナ又はアンテナを支持するハンディーの部分は、手持ちシェルから突出してもよく、したがってこれより大きくともよい。
本発明による電話機は、とくに自動車電話に適しており、ここでは送受器（手持ちシェル）は、（固定的に設置された）自動車アンテナに接続されており、その際、送信及び受信部分（又は無線部分）は、ハンディー内に存在する無線部分又は特殊な（さらに能力の高い）無線部分によって形成されており、この無線部分は、送受器内、コンソール又は送受器保持部内、又は車両内に、例えばそのトランク室内に配置することができる。しかし本発明による電話機は、別の方法で使用してもよく、例えば船舶、航空機及び鉄道列車において使用することもできる。その際、用途は、無線網（Ｃ網、Ｄ網、Ｅ網）に限定されるものではない。送受器又は手持ちシェルは、接続ケーブルによって間接的に卓上ステーション、保持部、コンソール等を介して、又は直接正規の電話ケーブル網に接続してもよい。
その他の点において電話機は、１つだけの手持ち無線電話を収容する装置、及び完全な通話装置であってもよく、その際、手持ち無線電話は、なるべくいわゆるハンディー（地上の局又は衛星への無線接触による）であるが、いわゆるコードレス電話であってもよい。
【図１ａ】
0003750025.tif 000002
【図１ｂ】
0003750025.tif 000003
【図１ｃ】
0003750025.tif 000004
【図２】
0003750025.tif 000005
【図３ａ】
0003750025.tif 000006
【図３ｂ】
0003750025.tif 000007
【図３ｃ】
0003750025.tif 000008
【図４ａ】
0003750025.tif 000009
【図４ｂ】
0003750025.tif 000010
【図４ｃ】
0003750025.tif 000011
【図４ｄ】
0003750025.tif 000012
【図５】
0003750025.tif 000013
【図６】
0003750025.tif 000014
【図７】
0003750025.tif 000015
【図８】
0003750025.tif 000016
【図１０】
0003750025.tif 000017
【図１３】
0003750025.tif 000018
【図９】
0003750025.tif 000019
【図１１】
0003750025.tif 000020
【図１２】
0003750025.tif 000021
【図１４】
0003750025.tif 000022